(57)【特許請求の範囲】
【請求項１】
ディスカバリ情報を通信する方法であって、
ピア・ディスカバリ送信構造を定義する情報を記憶すること、
ここで、前記構造はピア・ディスカバリ情報の送信に利用可能な順序付けされた複数の送信ユニットを示し、前記記憶された情報は低レートディスカバリ送信に使用される１つの送信ユニットと高レートディスカバリ送信に使用される複数の送信ユニットとの繰り返しを示す情報を含み、
前記低レートディスカバリ送信に対応する各送信ユニットを使用して、一番最近に生成された最近のピア・ディスカバリ情報のセットに含まれる複数の部分のそれぞれを送信すること、および
前記高レートディスカバリ送信に対応する前記送信ユニットを使用して、ピア・ディスカバリ情報のセットの前記低レートディスカバリ送信に対応する送信ユニットを使用して以前に送信された部分を送信すること、
を備える方法。
【請求項２】
前記ピア・ディスカバリ情報のセットの以前に送信された部分は、前記最近のセットとは異なるピア・ディスカバリ情報のセットに対応する、請求項１の方法。
【請求項３】
前記ピア・ディスカバリ情報のセットの以前に送信された部分は、前記最近のピア・ディスカバリ情報のセットに対応する、請求項１の方法。
【請求項４】
前記以前に送信された部分を送信することは、前記低レートディスカバリ送信に対応する送信ユニットの送信後に行う、請求項１の方法。
【請求項５】
前記以前に送信された部分を送信することは、前記低レートディスカバリ送信に対応する別の送信ユニットを使用した前記最近のピア・ディスカバリ情報の別の部分の送信の前に行う、請求項４の方法。
【請求項６】
前記最近のピア・ディスカバリ情報のセットは、全部でＮ個の部分を含み、前記方法は、さらに、
前記Ｎ個の部分のうちの第１の部分を前記低レートディスカバリ送信に対応する送信ユニットを使用して送信した後、前記別の部分の送信の前に、高レートディスカバリ送信に対応する送信ユニットを使用して、ピア・ディスカバリ情報の以前に送信されたＮ−１個の部分を送信すること、を含む請求項５の方法。
【請求項７】
前記第１の部分、および前記Ｎ−１個の部分は、全て同じピア・ディスカバリ情報のセットからである、請求項６の方法。
【請求項８】
前記Ｎ−１個の部分は、前記第１の部分の送信後に、高レートピア・ディスカバリ送信に対応する送信ユニットを使用して連続的に送信され、
前記Ｎ−１個の部分は、全て同じピア・ディスカバリ情報のセットからである、請求項６の方法。
【請求項９】
ディスカバリ情報を通信するための無線通信デバイスであって、
ピア・ディスカバリ送信構造を定義する記憶された情報を含むメモリと、
ここで、前記構造はピア・ディスカバリ情報の送信に利用可能な順序付けされた複数の送信ユニットを示し、前記記憶された情報は低レートディスカバリ送信に使用される１つの送信ユニットと高レートディスカバリ送信に使用される複数の送信ユニットとのセットの繰り返しを示す情報を含み、
ピア・ディスカバリ情報の複数の部分を送信する無線送信機モジュールと、
前記低レートディスカバリ送信に対応する各送信ユニットを使用して、一番最近に生成された最近のピア・ディスカバリ情報のセットに含まれる複数の部分のそれぞれを送信するように、前記無線送信機モジュールを制御する低レート制御モジュールと、
を備える無線通信デバイス。
【請求項１０】
前記高レートディスカバリ送信に対応する送信ユニットを使用して、ピア・ディスカバリ情報のセットの前記低レートディスカバリ送信に対応する送信ユニットを使用して以前に送信された部分を送信するように、前記無線送信機モジュールを制御する高レート制御モジュールを、さらに備える請求項９の無線通信デバイス。
【請求項１１】
前記ピア・ディスカバリ情報のセットの以前に送信された部分は、前記最近のセットとは異なるピア・ディスカバリ情報のセットに対応する、請求項１０の無線通信デバイス。
【請求項１２】
前記ピア・ディスカバリ情報のセットの以前に送信された部分は、前記最近のピア・ディスカバリ情報のセットに対応する、請求項９の無線通信デバイス。
【請求項１３】
前記高レート制御モジュールは、前記低レートディスカバリ送信に対応する送信ユニットの送信後に、前記以前に送信された部分を送信するように前記無線通信機モジュールを制御する、請求項９の無線通信デバイス。
【請求項１４】
前記以前に送信された部分を送信することは、前記低レートディスカバリ送信に対応する別の送信ユニットを使用した前記最近のセットのピア・ディスカバリ情報の別の部分の送信の前に行う、請求項１３の無線通信デバイス。
【請求項１５】
前記最近のピア・ディスカバリ情報のセットは、全部でＮ個の部分を含み、
前記高レート制御モジュールは、前記Ｎ個の部分のうちの第１の部分を前記低レートディスカバリ送信に対応する送信ユニットを使用して送信した後、前記別の部分の送信の前に、高レートディスカバリ送信に対応する送信ユニットを使用して、ピア・ディスカバリ情報の以前に送信されたＮ−１個の部分を送信するように、前記無線送信機モジュールを制御する、
請求項１４の無線通信デバイス。
【請求項１６】
前記第１の部分、および前記Ｎ−１個の部分は、全て同じピア・ディスカバリ情報のセットからである、請求項１５の無線通信デバイス。
【請求項１７】
前記Ｎ−１個の部分は、前記第１の部分の送信後に、高レートピア・ディスカバリ送信に対応する送信ユニットを使用して連続的に送信されるように制御され、
前記Ｎ−１個の部分は、全て同じピア・ディスカバリ情報のセットからである、
請求項１５の無線通信デバイス。
【請求項１８】
ディスカバリ情報を通信するための無線通信デバイスであって、
ピア・ディスカバリ送信構造を定義する記憶された情報を含むメモリ手段と、
ここで、前記構造はピア・ディスカバリ情報の送信に利用可能な順序付けされた複数の送信ユニットを示し、前記記憶された情報は低レートディスカバリ送信に使用される１つの送信ユニットと高レートディスカバリ送信に使用される複数の送信ユニットとのセットの繰り返しを示す情報を含み、
ピア・ディスカバリ情報の複数の部分を送信する無線送信機手段と、
前記低レートディスカバリ送信に対応する送信ユニットを使用して、一番最近に生成された最近のピア・ディスカバリ情報のセットに含まれる複数の部分のそれぞれを送信するように、前記無線送信機手段を制御する低レート制御手段と、
を備える無線通信デバイス。
【請求項１９】
前記高レートディスカバリ送信に対応する送信ユニットを使用して、ピア・ディスカバリ情報のセットの前記低レートディスカバリ送信に対応する送信ユニットを使用して以前に送信された部分を送信するように、前記無線送信機手段を制御する高レート制御手段を、さらに備える請求項１８の無線通信デバイス。
【請求項２０】
前記ピア・ディスカバリ情報のセットの以前に送信された部分は、前記最近のセットとは異なるピア・ディスカバリ情報のセットに対応する、請求項１８の無線通信デバイス。
【請求項２１】
前記ピア・ディスカバリ情報のセットの以前に送信された部分は、前記最近のと同じピア・ディスカバリ情報のセットに対応する、請求項１８の無線通信デバイス。
【請求項２２】
コンピュータプログラムであって、
コンピュータに、ピア・ディスカバリ送信構造を定義する情報を記憶させるコード、
ここで、前記構造はピア・ディスカバリ情報の送信に利用可能な順序付けされた複数の送信ユニットを示し、前記記憶された情報は低レートディスカバリ送信に使用される１つの送信ユニットと高レートディスカバリ送信に使用される複数の送信ユニットとのセットの繰り返しを示す情報を含み、
コンピュータに、前記低レートディスカバリ送信に対応する各送信ユニットを使用して、一番最近に生成された最近のピア・ディスカバリ情報のセットに含まれる複数の部分のそれぞれを送信させるコード、および
コンピュータに、前記高レートディスカバリ送信に対応する送信ユニットを使用して、ピア・ディスカバリ情報のセットの前記低レートディスカバリ送信に対応する送信ユニットを使用して以前に送信された部分を送信させるコード、
を含むコンピュータプログラム。
【請求項２３】
前記ピア・ディスカバリ情報のセットの以前に送信された部分は、前記最近のセットとは異なるピア・ディスカバリ情報のセットに対応する、請求項２２のコンピュータプログラム。
【請求項２４】
前記ピア・ディスカバリ情報のセットの以前に送信された部分は、前記最近のセットと同じピア・ディスカバリ情報のセットに対応する、請求項２２のコンピュータプログラム。
【請求項２５】
ピア・ディスカバリ送信構造を定義する情報を記憶し、
ここで、前記構造はピア・ディスカバリ情報の送信に利用可能な順序付けされた複数の送信ユニットを示し、前記記憶された情報は低レートディスカバリ送信に使用される１つの送信ユニットと高レートディスカバリ送信に使用される複数の送信ユニットとのセットの繰り返しを示す情報を含み、
前記低レートディスカバリ送信に対応する送信ユニットを使用して、一番最近に生成された最近のピア・ディスカバリ情報のセットに含まれる複数の部分のそれぞれを送信し、および
前記高レートディスカバリ送信に対応する送信ユニットを使用して、ピア・ディスカバリ情報のセットの前記低レートディスカバリ送信に対応する送信ユニットを使用して以前に送信された部分を送信する、
プロセッサを備えた装置。
【請求項２６】
前記ピア・ディスカバリ情報のセットの以前に送信された部分は、前記最近のセットとは異なるピア・ディスカバリ情報のセットに対応する、請求項２５の装置。
【請求項２７】
前記ピア・ディスカバリ情報のセットの以前に送信された部分は、前記最近のセットと同じピア・ディスカバリ情報のセットに対応する、請求項２５の装置。
【発明の詳細な説明】
【技術分野】
【０００１】
様々な実施形態は、無線通信に関連し、特に、ピア・ディスカバリ情報の通信に関する方法および装置に関連する。
【背景技術】
【０００２】
無線ネットワーク（例えばアドホック・ピア・ツー・ピア・無線ネットワーク）において、無線通信デバイス（例えばモバイルノード）が、様々なタイプのディスカバリ情報（例えば、ピア・ディスカバリ情報、ネットワーク・ディスカバリ情報、および／またはサービス・ディスカバリ情報）を送信する（例えばブロードキャストする）能力をサポートすることは有益でありえる。そのような情報をブロードキャストすることは、現在その近辺にある他のピアデバイスにより、状況認識（situational awareness）を行うために使用することができる。ピア間での無線デバイス・ブロードキャスト・ディスカバリ情報の交換は、中央集中型の連携および／または制御を欠くネットワークにおいて特に役立つ。異なる無線通信デバイスは、ディスカバリ情報の送信および／または受信に関して、異なる能力および／またはニーズを持っている。さらに、個々の無線通信デバイスは、ディスカバリ情報の送信および／または受信に関して、異なる時間に、異なる能力および／またはニーズを持っている。ディスカバリ情報のブロードキャストおよび／または受信は、オーバヘッド・シグナリングと考えられ、ディスカバリ情報シグナリングのために消費される電力およびスペクトラムのようなリソースは、トラヒック・シグナリングには利用できない。ディスカバリ情報を送信および／または受信するために、モバイル無線通信デバイスによって消費される電力、および残りの予備バッテリー電力は、ディスカバリ情報の通信をサポートする仕組みを作るうえで特に考慮すべき事項である。
【０００３】
上記議論に基づき、広範囲に異なるタイプのディスカバリ情報の通信を効率的な方法でサポートする方法および装置のニーズがあること、また、ディスカバリ情報の送信および／または受信に柔軟性を許容する方法および装置が有益であること、は言うまでもない。
【発明の概要】
【０００４】
モバイル無線システム（例えば、アドホック・ピア・ツー・ピア・ネットワーク）におけるピア／ネットワーク／サービス・ディスカバリに関する方法および装置が記述される。ディスカバリ情報（例えば上位レイヤディスカバリ情報）の送信は、時間をかけて別々に送信される多くの部分に分割される。個々の部分の送信は、そのような送信のモニタリングと同様に、ピア・ディスカバリ送信の頻度を柔軟にできるよう構成される。様々な実施形態は、迅速なディスカバリおよび／またはセキュア・ディスカバリ（例えば信用あるピアによる選択的ディスカバリ）を容易にする。
【０００５】
いくつかの実施形態に従った、ディスカバリ情報を通信する典型的な方法は、ピア・ディスカバリ送信構造を定義する情報を記憶することを含み、該構造はピア・ディスカバリ情報の送信に利用可能な順序づけされた複数の送信ユニットを示す。記憶された情報は、低レートディスカバリ送信に使用される送信ユニットおよび高レートディスカバリ送信に使用される追加の送信ユニットを示す情報を含む。必ずしもすべての実施形態でいえるわけではないが、記憶された情報は、高レートディスカバリ送信に対する送信ユニットは、低レートディスカバリ送信よりも多いことを示す。しかし、高レート送信ユニットと低レート送信ユニットの数との間の異なる関係も可能である。典型的な方法は、さらに、該低レートディスカバリ送信に対応する送信ユニットを用いて、ピア・ディスカバリ情報のセットのうちの第１の部分を送信することと、該高レートディスカバリ送信に対応する送信ユニットを用いて、ピア・ディスカバリ情報のセットのうちの前に送信された部分を送信することと、を含む。
【０００６】
いくつかの実施形態に従った、ディスカバリ情報を通信するための典型的な無線通信デバイスは、ピア・ディスカバリ送信構造を定義する記憶された情報を含むメモリを備え、該構造はピア・ディスカバリ情報の送信に利用可能な順序づけされた複数の送信ユニットを示す。該記憶された情報は、低レートディスカバリ送信に使用される送信ユニットおよび高レートディスカバリ送信に使用される追加の送信ユニットを示す情報を含む。特に典型的な一実施形態において、該記憶された情報は、高レートディスカバリ送信に対する送信ユニットは、低レートディスカバリ送信よりも多いことを示すが、これは単に例であり、必ずしも全ての実施形態には要求されるものではない。典型的な無線通信デバイスは、さらに、ピア・ディスカバリ情報の複数の部分を送信する無線送信機モジュールと、該低レートディスカバリ送信に対応する送信ユニットを使用してピア・ディスカバリ情報のセットの第１の部分を送信するように該無線送信機モジュールを制御する低レート制御モジュールと、を備える。様々な実施形態において、該無線通信デバイスは、さらに、該高レートディスカバリ送信に対応する送信ユニットを使用して、ピア・ディスカバリ情報のセットのうちの前に送信された部分を送信するように該無線送信機モジュールを制御する高レート制御モジュールを備える。
【０００７】
様々な実施形態は上記概要で述べられたが、全ての実施形態は必ずしも同じ特徴を含む必要はなく、上述の特徴のうちのいくつかは、いくつかの実施形態において必要ではないが好ましいものでありえることは言うまでもない。多数の付加的特徴、実施形態および様々な実施形態の利点は、以下の詳細な説明で議論される。
【図面の簡単な説明】
【０００８】
【図１】典型的な実施形態に従った典型的なピア・ツー・ピア・ネットワークの図。
【図２】典型的な実施形態に従った、反復ピア・ツー・ピア・タイミング構造内の、ディスカバリ・インターバルおよび対応するディスカバリ・インターバル・エアリンク・リソースを示す。
【図３】第１の典型的なディスカバリ・インターバルのエアリンク・リソースの詳細な描写を示す。
【図４】第２の典型的なディスカバリ・インターバルのエアリンク・リソースの詳細な描写を示す。
【図５】ピア・ディスカバリ送信構造の一部であるデバイス識別子に対応するディスカバリ情報の送信に利用可能な、順序づけされた複数の送信ユニットを示す。
【図６】符号化情報を生成するために、入力ディスカバリ情報を処理するセキュアなハッシュ関数符号化モジュールを示す。
【図７】セキュア符号化情報を生成する、ある入力ディスカバリ情報（例えばディスカバリ識別情報）を処理するセキュアなハッシュ関数符号化モジュールを示す。
【図８】入力ディスカバリ情報に対応する４つの出力部分を使用して伝えられるディスカバリ情報のための、３つの典型的なフォーマットを示す。
【図９】１つの典型的な実施形態に従った、生成された部分の、デバイス識別子に関連したディスカバリ情報を伝える順序づけされた送信ユニットへのマッピングを示す。
【図１０】別の典型的な実施形態に従った、デバイス識別子に関連したディスカバリ情報を伝えるために、順序付けされた送信ユニットへの生成された部分のマッピングを示す。
【図１１】ディスカバリ情報を通信するために、通信デバイス（例えば無線端末）を動作させる典型的な方法のフローチャートである。
【図１２】図１２は、図１２Ａと図１２Ｂとの組合せを含み、典型的な実施形態に従った、ディスカバリ情報を通信するために無線端末（例えばピア・ツー・ピア通信をサポートするモバイルノード）を動作させる典型的な方法のフローチャートである。
【図１２Ａ】典型的な実施形態に従った、ディスカバリ情報を通信するために無線端末（例えばピア・ツー・ピア通信をサポートするモバイルノード）を動作させる典型的な方法のフローチャートである。
【図１２Ｂ】典型的な実施形態に従った、ディスカバリ情報を通信するために無線端末（例えばピア・ツー・ピア通信をサポートするモバイルノード）を動作させる典型的な方法のフローチャートである。
【図１３】典型的な実施形態に従った、ディスカバリ情報部分を送信する典型的な無線端末（例えばピア・ツー・ピア・モバイルノード）の図である。
【図１４】ピア・ツー・ピア通信システムにおける典型的なノードと、異なるレートでのディスカバリ情報の送信とを示す図である。
【発明を実施するための形態】
【０００９】
図１は、典型的な実施形態に従った、典型的なピア・ツー・ピア・ネットワーク１００の図である。ピア・ツー・ピア・ネットワーク１００は、複数の無線ピア・ツー・ピア通信デバイス（ピア・ツー・ピア通信デバイス１  １０２、ピア・ツー・ピア通信デバイス２  １０４、ピア・ツー・ピア通信デバイス３  １０６、ピア・ツー・ピア通信デバイス４  １０８、…ピア・ツー・ピア通信デバイスＮ  １１０）を含む。ピア・ツー・ピア通信デバイスのうちのいくつか、例えばピア・ツー・ピア通信デバイス４  １０８は、さらに、デバイスを他のノードおよび／またはインターネットにつなぐ有線インターフェースを含む。ピア・ツー・ピア通信デバイス（１０２、１０４、１０６、１０８、１１０）は、低レートディスカバリ送信に使用される送信ユニットおよび高レートディスカバリ送信に使用される追加の送信ユニットを含むピア・ディスカバリ送信構造を定義する情報を記憶する。
【００１０】
ピア・ツー・ピア・ネットワーク１００は、さらに、ピア・ディスカバリ・アシスト・ノード１１４、サーバノード１１２（例えば基地局）、およびビーコン送信機１１６を含む。ピア・ディスカバリ・アシスト・ノード１１４は、第１のレートで、１つまたは複数のピア・ツー・ピア通信デバイスから、１つまたは複数のピア・ディスカバリ情報のセットの部分を受信することができ、また時々受信し、そして該第１のレートより速い第２のレートで、エアリンクを通じて該情報を送信する。同様に、サーバノード１１２は、第１のレートで、ピア・ツー・ピア通信デバイスから、１つまたは複数のピア・ディスカバリ情報のセットの部分を受信することができ、また時々受信し、そして該第１のレートより速い第２のレートで、エアリンクを通じて該情報を送信する。サーバノード１１２は、無線インターフェースおよび有線インターフェースの両方を含む。サーバ１１２の有線インターフェースは、サーバを、他のネットワークノードおよび／またはインターネットにつなぐ。ビーコン送信機１１６は、ビーコン信号、例えば１つまたはいくつかのトーンに高電力の集中するＯＦＤＭビーコンを送信し、それはその近くのピア・ツー・ピア・デバイスによって、その領域で利用できるピア・ツー・ピア・タイミング構造に関しタイミング基準を確立するために、容易に検知でき、使用されることを目的とする。
【００１１】
図２は、ウルトラスロット２１２を含む、反復（recurring）ピア・ツー・ピア・タイミング構造内のディスカバリ・インターバル（ディスカバリ・インターバル１  ２１４、ディスカバリ・インターバル２  ２１６、…ディスカバリ・インターバルｎ  ２１８）を示す図２００を含む。反復ピア・ツー・ピア・タイミング構造において、ウルトラスロットは繰り返される。垂直軸２０２は周波数、例えばＯＦＤＭトーンを表し、水平軸２０４は時間を表わす。ディスカバリ・インターバル（ディスカバリ・インターバル１  ２１４、ディスカバリ・インターバル２  ２１６、…ディスカバリ・インターバルｎ  ２１８）のそれぞれに対応して、ディスカバリ・インターバル・エアリンク・リソース（ディスカバリ・インターバル１  エアリンク・リソース２０６、ディスカバリ・インターバル２  エアリンク・リソース２０８、…ディスカバリ・インターバルｎ  エアリンク・リソース２１０）の対応するブロックがある。ディスカバリ・インターバル・エアリンク・リソースの各ブロック（例えばディスカバリ・インターバル１  エアリンク・リソース２０６）は、例えばＯＦＤＭトーンシンボルの１ブロックであり、ここで各ＯＦＤＭトーンシンボルは、１ＯＦＤＭシンボル送信時間インターバルの期間についての１ＯＦＤＭトーンを表わす。
【００１２】
図３は、１つの典型的な実施形態に従った、ディスカバリ・インターバル１  エアリンク・リソース２０６の詳細を示す。ディスカバリ・インターバル１  エアリンク・リソース２０６は、異なる複数のデバイス識別子に対応する複数のディスカバリ・エアリンク・リソースを含む。ディスカバリ・インターバル１  エアリンク・リソースは、デバイスＩＤ  １ディスカバリ・リソース３０２、続いてデバイスＩＤ  ２ディスカバリ・リソース３０４、続いてデバイスＩＤ  ３ディスカバリ・リソース３０６、続いてデバイスＩＤ  ４ディスカバリ・リソース３０８、続いてデバイスＩＤ  ５ディスカバリ・リソース３１０、続いてデバイスＩＤ  ６ディスカバリ・リソース３１２、続いてデバイスＩＤ  ７ディスカバリ・リソース３１４、…およびデバイスＩＤ  Ｍディスカバリ・リソース３１６を含む。
【００１３】
図４は、１つの典型的な実施形態に従った、ディスカバリ・インターバル２  エアリンク・リソース２０８の詳細を示す。ディスカバリ・インターバル２  エアリンク・リソース２０８は、異なる複数のデバイス識別子に対応する複数のディスカバリ・エアリンク・リソースを含む。ディスカバリ・インターバル２  エアリンク・リソース２０８は、デバイスＩＤ  ３ディスカバリ・リソース４０２、続いてデバイスＩＤ  ５ディスカバリ・リソース４０４、続いてデバイスＩＤ  ４ディスカバリ・リソース４０６、続いてデバイスＩＤ  Ｍディスカバリ・リソース４０８、続いてデバイスＩＤ  ２ディスカバリ・リソース４１０、続いてデバイスＩＤ  ６ディスカバリ・リソース４１２、続いてデバイスＩＤ  １ディスカバリ・リソース４１４、…およびデバイスＩＤ  ７ディスカバリ・リソース４１６を含む。この典型的な実施形態では、異なるデバイス識別子に関連したディスカバリ・リソースの順序が、ディスカバリ・インターバル１  ２０６からディスカバリ・インターバル２  ２０８に変わったことがわかる。ピア・ツー・ピア・タイミング／周波数構造で適用された予め定められたホッピング・シーケンスに従った順序付けられた変化が用いられる。他のいくつかの実施形態では、特定のデバイス識別子に関連したエアリンク・リソースの相対位置は、１つのインターバルから次のインターバルで変わらない。
【００１４】
図５は、ピア・ディスカバリ送信構造の一部である、ディスカバリ情報の送信に利用可能な、順序付けされた複数の送信ユニットを示す図５００である。例示された順序付けされた複数の送信ユニットは、送信ユニット０  ５０２、送信ユニット１  ５０４、送信ユニット２  ５０６、送信ユニット３  ５０８、送信ユニット４  ５１０、送信ユニット５  ５１２、送信ユニット６  ５１４、送信ユニット７  ５１６、送信ユニット８  ５１８、送信ユニット９  ５２０、送信ユニット１０  ５２２、送信ユニット１１  ５２４、送信ユニット１２  ５２６、送信ユニット１３  ５２８、送信ユニット１４  ５３０、送信ユニット１５  ５３２、送信ユニット１６  ５３４、送信ユニット１７  ５３６、送信ユニット１８  ５３８および送信ユニット１９  ５４０を含み、これらはピア・ディスカバリ送信構造の一部であり、特定のデバイス識別子に関連している。例えば、図５の図５００の中の送信ユニットが、デバイスＩＤ  ２に属するとする。この例を続けると、図２、３および４に示したように、送信ユニット０  ５０２は、ディスカバリ・インターバル  １エアリンク・リソース２０６のデバイスＩＤ  ２ディスカバリ・リソース３０４であり、送信ユニット１  ５０４は、ディスカバリ・インターバル２  エアリンク・リソース２０８のデバイスＩＤ  ２ディスカバリ・リソース４１０である。
【００１５】
ピア・ディスカバリ情報の送信に利用可能な複数の順序付けされた送信ユニットは、グループ５４２で示されるように、デバイス識別子に対応する低レートディスカバリ送信ユニット、およびグループ５４４で示されるように、同じデバイス識別子に対応する高レートディスカバリに使用される追加の送信ユニットを含む。この例において、デバイス識別子に対応する低レートディスカバリ送信ユニットのセット５４２は、クロスハッチの陰影で示され、送信ユニット５０２、５１２、５２２および５３２を含む。該デバイス識別子に対応する高レートディスカバリに使用される追加の送信ユニットのセットは、陰影なしで示され、送信ユニット５０４、５０６、５０８、５１０、５１４、５１６、５１８、５２０、５２４、５２６、５２８、５３０、５３４、５３６、５３８および５４０を含む。
【００１６】
図６は、符号化情報を生成する入力ディスカバリ情報を処理するセキュアなハッシュ関数符号化モジュール６０４を示す。出力符号化情報は部分（portions）にマッピングされ、各部分は送信ユニットによって通信される。
【００１７】
図６００は、セキュアハッシュ関数符号化モジュール６０４が、ディスカバリ情報６０２および時間値ｔ０  ６０６を受信し、コラム６０８によって示されるように複数の部分（ＡN-2、ＢN-2、ＣN-2、ＤN-2）を含む１セットの出力情報を生成することを示す。この例において、各部分は、コラム６１０によって示されるように１６情報ビットに対応する。コラム６１２は、異なる符号化出力部分と送信ユニットタイプとの間の対応があることを示す。特に、部分ＡN-2は、反復タイミング構造において、Ｐ０送信ユニットタイプを用いて通信され、部分ＢN-2は、反復タイミング構造において、Ｐ１送信ユニットタイプを用いて通信され、部分ＣN-2、反復タイミング構造において、Ｐ２送信ユニットタイプを用いて通信され、また、部分ＤN-2は、反復タイミング構造において、Ｐ３送信ユニットタイプを用いて通信される。
【００１８】
図６３０は、セキュアハッシュ関数符号化モジュール６０４が、ディスカバリ情報６３２および時間値ｔ１  ６３６を受信し、コラム６３８によって示されるように複数の部分（ＡN-1、ＢN-1、ＣN-1、ＤN-1）を含む１セットの出力情報を生成することを示す。この例において、各部分は、コラム６４０によって示されるように１６情報ビットに対応する。コラム６４２は、異なる符号化出力部分と送信ユニットタイプとの間に対応があることを示す。特に、部分ＡN-1は、反復タイミング構造において、Ｐ０送信ユニットタイプを用いて通信され、部分ＢN-1は、反復タイミング構造において、Ｐ１送信ユニットタイプを用いて通信され、部分ＣN-1は、反復タイミング構造において、Ｐ２送信ユニットタイプを用いて通信され、部分ＤN-1は、反復タイミング構造において、Ｐ３送信ユニットタイプを用いて通信される。
【００１９】
図６５０は、セキュアハッシュ関数符号化モジュール６０４が、ディスカバリ情報６５２および時間値ｔ２  ６５６を受信し、コラム６５８によって示されるように複数の部分（ＡN、ＢN、ＣN、ＤN）を含む１セットの出力情報を生成することを示す。この例において、各部分は、コラム６６０によって示されるように１６情報ビットに対応する。コラム６６２は、異なる符号化出力部分と送信ユニットタイプとの間に対応があることを示す。特に、部分ＡNは、反復タイミング構造において、Ｐ０送信ユニットタイプを用いて通信され、部分ＢNは、反復タイミング構造において、Ｐ１送信ユニットタイプを用いて通信され、部分ＣNは、反復するタイミング構造において、Ｐ２送信ユニットタイプを用いて通信され、部分ＤNは、反復タイミング構造において、Ｐ３送信ユニットタイプを用いて通信されることを示す。
【００２０】
入力ディスカバリ情報６０２は、入力ディスカバリ情報６３２と同じか、異なる。同様に、入力ディスカバリ情報６３２は、入力ディスカバリ情報６５２と同じか、異なる。各場合において、セキュアハッシング関数符号化モジュール６０４は、動作の必要に応じて、追加の入力（例えば鍵）を含むことがあり、いくつかの事例では含む。
【００２１】
図７は、ある入力ディスカバリ情報（例えばディスカバリ識別情報）を処理し、セキュア符号化情報を生成する、セキュアなハッシュ関数符号化モジュール７０４を示す。出力セキュア符号化情報は、結合（combining）モジュール７０３により、追加のディスカバリ情報（例えばタイプ情報および／またはフラグを示すビット）と結合される。その結合の結果は、部分（portions）にマッピングされ、各部分は送信ユニットによって通信される。
【００２２】
従って図７は、図６に示される典型的な実施形態のバリエーションを示す。図７の例では、通信されるいくつかのディスカバリ情報は、セキュアハッシュ関数符号化されない。例えば、タイプ情報を示すビットおよび／またはフラグを示すビットは、セキュアハッシュ関数符号化されないことがあり、時々セキュアハッシュ関数符号化される。図７の例では、ディスカバリ情報（７０２、７３２、７５２）は、それぞれセキュアハッシュ関数符号化されるディスカバリ情報（７０２ａ、７３２ａ、７５２ａ）と、それぞれセキュアハッシュ関数符号化されないディスカバリ情報（７０２ｂ、７３２ｂ、７５２ｂ）とを含む。
【００２３】
図７００は、セキュアハッシュ関数符号化モジュール７０４が、ディスカバリ情報７０２ａおよび時間値ｔ０  ７０６を受信し、セキュア符号化情報７０５を生成することを示す。結合（combining）モジュール７０３は、セキュア符号化情報７０５およびディスカバリ情報７０２ｂを受信し、コラム７０８によって示される複数の部分（ＡN-2、ＢN-2、ＣN-2、ＤN-2）を含む１セットの出力情報を生成する。この例において、各部分は、コラム７１０によって示される２０情報ビットに対応する。コラム７１２は、符号化出力部分と送信ユニットタイプとの間に対応があることを示す。特に、部分ＡN-2は、反復タイミング構造において、Ｐ０送信ユニットタイプを用いて通信され、部分ＢN-2は、反復タイミング構造において、Ｐ１送信ユニットタイプを用いて通信され、部分ＣN-2は、反復タイミング構造において、Ｐ２送信ユニットタイプを用いて通信され、部分ＤN-2は、反復タイミング構造において、Ｐ３送信ユニットタイプを用いて通信される。
【００２４】
図７３０は、セキュアハッシュ関数符号化モジュール７０４が、ディスカバリ情報７３２ａおよび時間値ｔ１  ７３６を受信し、セキュア符号化情報７３５を生成することを示す。結合モジュール７０３は、セキュア符号化情報７３５およびディスカバリ情報７３２ｂを受信し、コラム７３８によって示されるように複数の部分（ＡN-1、ＢN-1、ＣN-1、ＤN-1）を含む１セットの出力情報を生成する。この例において、各部分は、コラム７４０によって示されるように２０情報ビットに対応する。コラム７４２は、異なる符号化出力部分と送信ユニットタイプとの間に対応があることを示す。特に、部分ＡN-1は、反復タイミング構造において、Ｐ０送信ユニットタイプを用いて通信され、部分ＢN-1は、反復タイミング構造において、Ｐ１送信ユニットタイプを用いて通信され、部分ＣN-1は、反復タイミング構造において、Ｐ２送信ユニットタイプを用いて通信され、部分ＤN-1は、反復タイミング構造において、Ｐ３送信ユニットタイプを用いて通信される。
【００２５】
図７５０は、セキュアハッシュ関数符号化モジュール７０４が、ディスカバリ情報７５２ａおよび時間値ｔ２  ７５６を受信し、セキュア符号化情報７５５を生成することを示す。結合モジュール７０３は、セキュア符号化情報７５５およびディスカバリ情報７５２ｂを受信し、コラム７５８によって示される複数の部分（ＡN、ＢN、ＣN、ＤN）を含む１セットの出力情報を生成する。この例において、各部分は、コラム７６０によって示される２０情報ビットに対応する。コラム７６２は、異なる符号化出力部分と送信ユニットタイプとの間に対応があることを示す。特に、部分ＡNは、反復タイミング構造において、Ｐ０送信ユニットタイプを用いて通信され、部分ＢNは、反復タイミング構造において、Ｐ１送信ユニットタイプを用いて通信され、部分ＣNは、反復タイミング構造において、Ｐ２送信ユニットタイプを用いて通信され、部分ＤNは、反復タイミング構造において、Ｐ３送信ユニットタイプを用いて通信される。
【００２６】
入力ディスカバリ情報７０２は、入力ディスカバリ情報７３２と同じか、異なる。同様に、入力ディスカバリ情報７３２は、入力ディスカバリ情報７５２と同じか、異なる。各場合において、セキュアハッシング関数符号化モジュール６０４は、動作の必要に応じて、追加の入力（例えば鍵）を含むことがあり、いくつかの事例では含む。
【００２７】
図８は、４つの出力部分を使用して伝えられるディスカバリ情報についての３つの典型的なフォーマットを示す。図８００は、ブロック８０４で示されるように、送信される出力ディスカバリ識別情報８０２が６４ビットを含み、４つの部分（部分Ａ  ８０６、部分Ｂ  ８０８、部分Ｃ  ８１０および部分Ｄ  ８１２）を含む、第１の典型的なフォーマットを示す。このフォーマットは、図６の例に対応する典型的なフォーマットである。例えば、図８の図８００の４つの出力部分（部分Ａ  ８０６、部分Ｂ  ８０８、部分Ｃ  ８１０、部分Ｄ  ８１２）は、セット｛Ａn-2、Ｂn-2、Ｃn-2およびＤn-2｝であり、または４つの出力部分のセットは図６の｛Ａn-1、Ｂn-1、Ｃn-1およびＤn-1｝またはセット｛Ａn、Ｂn、ＣnおよびＤn｝である。
【００２８】
図８２０は、送信される出力ディスカバリ識別情報８３４が８０ビットを含み、そして、４つの出力部分（部分Ａ  ８３４、部分Ｂ  ８３６、部分Ｃ  ８３８および部分Ｄ  ８４０）を含む、第２の典型的なフォーマットを示す。このフォーマットは、図７の例に対応する典型的なフォーマットである。例えば、図８の図８２０の４つの出力部分（部分Ａ  ８３４、部分Ｂ  ８３６、部分Ｃ  ８４０、部分Ｄ  ８４２）は｛Ａn-2、Ｂn-2、Ｃn-2およびＤn-2｝のセットであり、または、４つの出力部分のセットは図７の｛Ａn-1、Ｂn-1、Ｃn-1およびＤn-1｝またはセット｛Ａn、Ｂn、ＣnおよびＤn｝である。図８２０の例において、通信される出力ディスカバリ情報は、８２８で示される８ビット幅のタイプ・フィールド８２２と、ブロック８３０で示される８ビット幅のフラグ・フィールド８２４と、ブロック８３２で示される６４ビット幅のディスカバリ識別情報フィールド８２６とを含む。図８２０の例において、タイプ・フィールド８２２およびフラグ・フィールド８２４は部分Ａ  ８３４の一部として含まれるが、ディスカバリ識別情報８２６は部分Ａ  ８３４、部分Ｂ  ８３６、部分Ｃ  ８３８および部分Ｄ  ８４０の複数のビットを使用して通信される。
【００２９】
図８５０は、送信される出力ディスカバリ識別情報８３４が８０ビットを含み、そして、４つの出力部分（部分Ａ  ８９３、部分Ｂ  ８９５、部分Ｃ  ８９７および部分Ｄ  ８９９）を含む、第３の典型的なフォーマットを示す。このフォーマットは、図７の例に対応する典型的なフォーマットである。例えば、図８の図８５０の４つの出力部分（部分Ａ  ８９３、部分Ｂ  ８９５、部分Ｃ  ８９７、部分Ｄ  ８９９）は、｛Ａn-2、Ｂn-2、Ｃn-2およびＤn-2｝のセットであり、または、４つの出力部分のセットは｛Ａn-1、Ｂn-1、Ｃn-1およびＤn-1｝、またはセット｛Ａn、Ｂn、ＣnおよびＤn｝である。図８５０の例において、部分Ａ  ８９３で通信されるディスカバリ情報は、ブロック８７６で示される２ビット幅のタイプ・フィールド８５２と、ブロック８７８で示される２ビット幅のフラグ・フィールド８５４と、ブロック８８０で示される１６ビット幅のディスカバリ識別情報フィールド８５６とを含む。部分Ｂ  ８９５で通信されるディスカバリ情報は、ブロック８８２で示される２ビット幅のタイプ・フィールド８５８と、ブロック８８４で示される２ビット幅のフラグ・フィールド８６０と、ブロック８８６で示される１６ビット幅のディスカバリ識別情報フィールド８６２とを含む。部分Ｃ  ８９７で通信されるディスカバリ情報は、ブロック８８８で示される２ビット幅のタイプ・フィールド８６４と、ブロック８９０で示される２ビット幅のフラグ・フィールド８６６と、ブロック８９２で示される１６ビット幅のディスカバリ識別情報フィールド８６８とを含む。部分Ｄ  ８９９で通信されるディスカバリ情報は、８９４で示される２ビット幅のタイプ・フィールド８７０と、ブロック８９６で示される２ビット幅のフラグ・フィールド８７２と、ブロック８９８で示される１６ビット幅のディスカバリ識別情報フィールド８７４とを含む。
【００３０】
タイプ・フィールドで伝えられるタイプ情報は、例えば伝えられる他のディスカバリ情報のフォーマットを示す情報、例えば他の上部層ディスカバリ情報を含む。例えば、タイプ・フィールドで伝えられるタイプ値は、伝えられたディスカバリ情報をどのように処理するかを識別するために使用され、例えば、使用できる異なるフォーマットおよび／または使用できる異なる符号化および／または使用できる異なる暗号化にマッピングされる異なるタイプ値である。タイプ・フィールド情報は、処理された（例えばハッシュされた）ディスカバリ情報が表す内容を伝えるために使用でき、そして時々使用される。
【００３１】
フラグは、１つまたは複数の二値状態（例えば、能力または特徴）を示すために使用される。いくつかの実施形態では、フラグはデバイス・タイプ（例えばルータ）を識別するために使用される。いくつかの実施形態では、伝えられるディスカバリ情報の一部は、各送信部分に含まれる。いくつかの実施形態では、伝えられるディスカバリ情報の一部は、関連するピア・ディスカバリ送信部分のセット上に分割される。ディスカバリ情報のいくつかの部分（例えば、フラグのサブセット）は、すべての送信部分に含めるために、十分にタイムクリティカルである。いくつかの実施形態では、通信されたディスカバリ情報を解釈できるために、受信デバイスは、タイプ値を事前に受信する必要があり、従ってそのような実施形態では、タイプが伝えられる頻度は、ディスカバリ情報の部分的なセットに反応する能力に影響を与えることができ、そして時々影響を与える。いくつかのそのような実施形態において、タイプ・フィールドは、受信した送信部分で伝えられるディスカバリ情報の迅速な再生を容易にするため、各ディスカバリ送信部分に含まれる。
【００３２】
他の実施形態は、図８に関して記述されたものに加えて、あるいはその代わりに、他のフィールド（例えばヘッダー・フィールド、ＣＲＣフィールドなど）を含むことがある。
【００３３】
図９は、特別のマッピングパターンを用いた１つの典型的な実施形態に従い、無線通信デバイス識別子に関連したディスカバリ情報を伝えるために順序付けされた送信ユニットへ、図６あるいは図７の生成された部分をマッピングすることを示す。順序付けされた一連の送信ユニット（９０４、９０６、９０８、９１０、９１２、９１４、９１６、９１８、９２０、９２２、９２４、９２６、９２８、９３０、９３２、９３４、９３６、９３８、９４０、９４２、９４４、９４６、９４８、９５０、９５２、９５４、９５６、９５８、９６０、９６２、９６４、９６６、９６８、９７０、９７２、９７４、９７６、９７８、９８０、９８２）のタイプは、それぞれ（Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３）であり、それらは情報（ＡN-1、ＢN-2、ＣN-2、ＤN-2、ＡN-1、ＢN-1、ＣN-2、ＤN-2、ＡN-1、ＢN-1、ＣN-1、ＤN-2、ＡN-1、ＢN-1、ＣN-1、ＤN-1、ＡN-1、ＢN-1、ＣN-1、ＤN-1、ＡN、ＢN-1、ＣN-1、ＤN-1、ＡN、ＢN、ＣN-1、ＤN-1、ＡN、ＢN、ＣN、ＤN-1、ＡN、ＢN、ＣN、ＤN、ＡN、ＢN、ＣN、ＤN）をそれぞれ伝える。送信ユニット（９０４、９１４、９２４、９３４、９４４、９５４、９６４および９７４）は、クロスハッチの陰影により示される低レートディスカバリ送信ユニットであり、送信ユニット（９０６、９０８、９１０、９１２、９１６、９１８、９２０、９２２、９２６、９２８、９３０、９３２、９３６、９３８、９４０、９４２、９４６、９４８、９５０、９５２、９５６、９５８、９６０、９６２、９６６、９６８、９７０、９７２、９７６、９７８、９８０および９８２）は、高レートディスカバリに使用される追加の送信ユニットである。所与のタイプの高レートディスカバリ用の追加の送信ユニットは、それが送信ユニットを運ぶ時に、同じタイプの低レートディスカバリ送信ユニットによって以前に送信された情報部分を運ぶように指定されることは、注目すべきである。
【００３４】
送信ユニットのセットに対応する識別子を持つ第１のピア・ツー・ピア通信デバイスは、高レートディスカバリ情報送信モードである場合、送信ユニットのそれぞれを用いて送信する。しかし、最初に、ピア・ツー・ピア通信デバイスが低レートディスカバリ送信モードの場合、それは低レートディスカバリ・リソースを使用して送信するが、高レートディスカバリについて指定された追加の送信リソースで送信することはしない。図９の構造は、送信モードに関係なく、第１のピア・ツー・ピア通信からのディスカバリ情報の同じ部分の一般型を示すが、高レートモードを使用する場合、第２のピア・ツー・ピア・デバイスによる情報のより迅速な再生を容易にする。さらに、図９の図示された構造は、ピア・ディスカバリ・アシスト・ノードあるいは基地局が、有利に次のことを可能にする。（ｉ）高ディスカバリレートについての追加の送信ユニットではなく、低ディスカバリレート送信ユニットを用いて、第１のピア・ツー・ピア通信デバイスから通信されるディスカバリ信号を受信および検知すること、および（ｉｉ）その後、そのような受信された情報を、高レートディスカバリについて指定された追加の送信ユニットを用いて（例えば、高レートディスカバリについて指定された別の未使用の追加の送信ユニットに埋め込み）ブロードキャストすること。第１のピア・ディスカバリデバイスからのピア・ディスカバリ情報の検知を試みる第２のピア・ツー・ピア通信デバイスは、デバイス識別子に関連した送信ユニットのそれぞれに存在するディスカバリ送信ユニットを受信および処理できる。第２のピア・ツー・ピア通信デバイスは、特定の追加の送信ユニット信号の送信源（例えば第１の通信デバイスまたはアシスト・ノード）を知る必要はない。
【００３５】
図１０は、別の典型的な実施形態に従った、無線通信デバイス識別子に関連したディスカバリ情報を伝えるために順序付けされた送信ユニットへの、図６あるいは図７の生成された部分のマッピングを示す。順序付けされた一連の送信ユニット（１００４、１００６、１００８、１０１０、１０１２、１０１４、１０１６、１０１８、１０２０、１０２２、１０２４、１０２６、１０２８、１０３０、１０３２、１０３４、１０３６、１０３８、１０４０、１０４２、１０４４、１０４６、１０４８、１０５０、１０５２、１０５４、１０５６、１０５８、１０６０、１０６２、１０６４、１０６６、１０６８、１０７０、１０７２、１０７４、１０７６、１０７８、１０８０、１０８２）のタイプは、それぞれ（Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３、Ｐ０、Ｐ１、Ｐ２、Ｐ３）であり、それらは情報（ＡN-1、ＢN-2、ＣN-2、ＤN-2、ＡN-2、ＢN-1、ＣN-2、ＤN-2、ＡN-2、ＢN-2、ＣN-1、ＤN-2、ＡN-2、ＢN-2、ＣN-2、ＤN-1、ＡN-1、ＢN-1、ＣN-1、ＤN-1、ＡN、ＢN-1、ＣN-1、ＤN-1、ＡN-1、ＢN、ＣN-1、ＤN-1、ＡN-1、ＢN-1、ＣN、ＤN-1、ＡN-1、ＢN-1、ＣN-1、ＤN、ＡN、ＢN、ＣN、ＤN）をそれぞれ伝える。送信ユニット（１００４、１０１４、１０２４、１０３４、１０４４、１０５４、１０６４および１０７４）は、クロスハッチにより示される低レートディスカバリ送信ユニットであり、送信ユニット（１００６、１００８、１０１０、１０１２、１０１６、１０１８、１０２０、１０２２、１０２６、１０２８、１０３０、１０３２、１０３６、１０３８、１０４０、１０４２、１０４６、１０４８、１０５０、１０５２、１０５６、１０５８、１０６０、１０６２、１０６６、１０６８、１０７０、１０７２、１０７６、１０７８、１０８０および１０８２）は、高レートディスカバリに使用される追加の送信ユニットである。高レートディスカバリ用の追加の送信ユニットは、それが送信ユニットを運ぶ時に、低レートディスカバリ送信ユニットによって以前に送信された情報部分を運ぶように指定されることは、注目すべきである。この例では、低レートディスカバリ情報の全セットが送信し終わるまで、高レートディスカバリに関連した追加のリソースで運ばれる情報は変わらない。
【００３６】
図１１は、ディスカバリ情報を通信するため（例えば、ピア・ディスカバリ情報をブロードキャストするため）、通信デバイス（例えば無線端末）を動作させる典型的な方法のフローチャート１１００である。動作はステップ１１０２で開始し、ステップ１１０４へ進む。ステップ１１０４では、通信デバイスは、ピア・ディスカバリ送信構造を定義する情報を記憶し、該構造は、ピア・ディスカバリ情報の送信に利用可能な、順序付けされた複数の送信ユニットを示し、該記憶された情報は、低レートディスカバリ送信に用いられる送信ユニットおよび高レートディスカバリ送信に用いられる追加の送信ユニットを示す情報を含み、該情報は、高レートディスカバリ送信についての送信ユニットが低レートディスカバリ送信より多いことを示す。例えば、いくつかの典型的な実施形態において、ピア・ディスカバリ送信構造には、各低レートディスカバリ送信ユニットにつき４つの追加の送信ユニットがある。図５を参照。他のピア・ディスカバリ構造は、高レートディスカバリに関連した追加の送信ユニットの数と、低レートディスカバリに関連した送信ユニットの数との間に異なる比率をもつ。動作は、ステップ１１０４からステップ１１０６へ進む。
【００３７】
ステップ１１０６において、通信デバイスは、該低レートディスカバリ送信に対応する送信ユニットを使用して、ピア・ディスカバリ情報のセットの第１の部分を送信する。いくつかの実施形態において、該第１の部分を含むピア・ディスカバリ情報の該セットは、全部でＫ個の部分を含み、ここでＫは２以上の正の整数である。いくつかの例において、ピア・ディスカバリ情報の１セットには４つの部分がある。例えば、１つの４つのセットは、セット｛部分ＡN、部分ＢN、部分ＣN、部分ＤN｝である。動作は、ステップ１１０６からステップ１１０８へ進む。
【００３８】
ステップ１１０８において、通信デバイスは、該高レートディスカバリ送信に対応する送信ユニットを使用して、ピア・ディスカバリ情報のセットの以前に送信された部分を送信する。動作は、ステップ１１０８からステップ１１１０へ進む。
【００３９】
ステップ１１１０において、通信デバイスは、高レートディスカバリ送信に対応する送信ユニットを使用して、ピア・ディスカバリ情報のＫ−１の追加部分を送信する。動作は、ステップ１１１０からステップ１１１２へ進む。
【００４０】
その後、ステップ１１１２において、通信デバイスは、該低レートディスカバリ送信に対応する別の送信ユニットを使用して、ピア・ディスカバリ情報の別の部分を送信する。
【００４１】
フローチャート１１００の方法に従った第１の例がここに記述される。第１の例において、図９を考慮し、通信デバイスが、図９のパターンに従ったピア・ディスカバリ送信構造情報を記憶する（ステップ１１０４）と仮定する。さらに、通信デバイスが高レートディスカバリ送信モードであり、図９に示された図示されたディスカバリ送信ユニットのそれぞれを用いて送信している、と仮定する。ステップ１１０６で送信される第１の部分は、例えば｛ＡN、ＢN、ＣN、ＤN｝のセットののうちの部分ＡNであり、矢印９４４によって示される低レートディスカバリ送信リソースを使用して送信される。この例において、ディスカバリ情報のセットが、Ｋ個の部分を持っていると仮定する。ここでＫ＝４である。ステップ１１０８で送信された、以前に送信された部分は、例えば｛ＡN-1、ＢN-1、ＣN-1、ＤN-1｝のセットに属する部分ＢN-1であり、矢印９４６によって示された高レートディスカバリ送信リソースを使用して送信される。この例において、ステップ１１０８の以前に送信された部分は、ステップ１１０６の第１の部分を含むセットとは異なるピア・ディスカバリ情報のセットに対応する。この例を続けると、ステップ１１１０で送信されたＫ−１個の追加部分は、例えば、矢印９４８、９５０および９５２で示される、高レートディスカバリ送信に対応する送信ユニットを使用して送信される３つの部分ＣN-1、ＤN-1、ＡNである。この例を続けると、ステップ１１１２で送信された別の部分は、例えば、矢印９５４によって示される、低レートディスカバリ送信に対応する別の送信ユニットを使用して送信される部分ＢＮである。
【００４２】
フローチャート１１００の方法に従った第２の例が、ここに説明される。第２の例において、図９を考慮し、通信デバイスが図９（ステップ１１０４）のパターンに従ったピア・ディスカバリ送信構造情報を記憶すると仮定する。さらに、通信デバイスが高レートディスカバリ送信モードであり、図９に示された図示されたディスカバリ送信ユニットのそれぞれを使用して送信する、と仮定する。ステップ１１０６で送信される第１の部分は、例えば｛ＡN-1、ＢN-1、ＣN-1、ＤN-1｝のセット内の部分ＤN-1であり、矢印９３４によって示される低レートディスカバリ送信リソースを使用して送信される。この例において、ディスカバリ情報のセットは、Ｋ個の部分を持っていると仮定する、ここでＫ＝４である。ステップ１１０８で送信された、以前に送信された部分は、例えば｛ＡN-1、ＢN-1、ＣN-1、ＤN-1｝のセットに属する部分ＡN-1であり、矢印９３６によって示された高レートディスカバリ送信リソースを使用して送信される。この例において、ステップ１１０８の以前に送信された部分は、ステップ１１０６の第１の部分を含むセットと同じピア・ディスカバリ情報のセットに対応する。この例を続けると、ステップ１１１０で送信されたＫ−１個の追加部分は、例えば、矢印９３８、９４０および９４２で示される高レートディスカバリ送信に対応する送信ユニットを使用して送信されるＢN-1、ＣN-1、ＤN-1の３つの部分である。この例において、第１の部分、以前に送信された部分、およびＫ−１個の追加の部分は、すべて、ピア・ディスカバリ情報の同じセットからである。この例を続けると、ステップ１１１２で送信された別の部分は、例えば、矢印９４４によって示されるように、低レートディスカバリ送信に対応する別の送信ユニットを使用して送信される部分ＡNである。
【００４３】
フローチャート１１００の方法に従った第３の例がここに説明される。第３の例において、図１０を考慮し、通信デバイスが図１０（ステップ１１０４）のパターンに従ったピア・ディスカバリ送信構造情報を記憶すると仮定する。さらに、通信デバイスが高レートディスカバリ送信モードであり、図１０に示された図示されたディスカバリ送信ユニットのそれぞれを使用して送信する、と仮定する。ステップ１１０６で送信される第１の部分は、例えば｛ＡN、ＢN、ＣN、ＤN｝のセットの部分ＡNであり、矢印１０４４によって示された低レートディスカバリ送信リソースを使用して送信される。この例において、ディスカバリ情報のセットは、Ｋ個の部分を持っていると仮定する、ここでＫ＝４である。ステップ１１０８で送信された、以前に送信された部分は、例えば｛ＡN-1、ＢN-1、ＣN-1、ＤN-1のセットの部分ＡN-1であり、矢印１０４６によって示される高レートディスカバリ送信リソースを使用して送信される。この例において、ステップ１１０８の以前に送信された部分は、ステップ１１０６の第１の部分を含むセットとは異なるピア・ディスカバリ情報のセットに対応する。この例を続けると、ステップ１１１０で送信されたＫ−１個の追加部分は、例えば、矢印１０４８、１０５０および１０５２で示される高レートディスカバリ送信に対応する送信ユニットを使用して送信されるＣN-1、ＤN-1、ＡN-1の３つの部分である。この例において、事前に送信された部分およびＫ−１個の追加部分は、すべて、ピア・ディスカバリ情報の同じセットからである。さらに、以前に送信された部分と該Ｎ−１個の追加部分は、該第１の部分の送信の後に、高レートピア・ディスカバリ送信に対応する送信ユニットを連続的に使用して送信される。この例を続けると、ステップ１１１２で送信される別の部分は、例えば、矢印１０５４によって示されるように低レートディスカバリ送信に対応する別の送信ユニットを使用して送信される部分ＢNである。
【００４４】
図１２は、図１２Ａおよび図１２Ｂの組合せを含み、典型的な実施形態に従って、無線端末（例えばピア・ツー・ピア通信をサポートするモバイルノード）がディスカバリ情報を通信するように動作させる典型的な方法のフローチャート１２００である。無線端末は、例えば、図１のシステム１００のピア・ツー・ピア通信デバイス（１０２、１０４、１０６、１０８、１１０）の１つである。
【００４５】
フローチャート１２００の典型的な方法は、ステップ１２０２で開始して、ステップ１２０４へ進み、そこでは、無線端末は、記憶された反復ピア・ツー・ピア・タイミング／周波数構造情報１２０６として、ピア・ツー・ピア・タイミング／周波数構造情報を記憶する。ステップ１２０４の記憶は、例えば、無線端末設定および／または無線端末初期化プロセスの一部である。記憶されたピア・ツー・ピア・タイミング／周波数構造情報１２０６は、例えば、複数のディスカバリ・インターバル・エアリンク・リソースを識別する情報、特定のデバイス識別子をもつ特定のディスカバリ・インターバル・エアリンク・リソースを関連付ける情報、およびディスカバリ・インターバル・パターンを示す情報、を含む。記憶された反復ピア・ツー・ピア・タイミング／周波数構造情報１２０６は、ピア・ディスカバリ送信構造を定義し、それは、ピア・ディスカバリ情報の送信に利用可能な順序付けされた複数の送信ユニットを含む。情報１２０６は、低レートディスカバリ送信用の送信ユニットおよび高レートディスカバリ送信用の追加の送信ユニットを指示する情報を含み、高レートディスカバリ送信についての送信ユニットは送信ユニット低レートディスカバリ送信よりも多いことを示す。図２、３、４、５、９および／または１０に記述された情報は、記憶された反復ピア・ツー・ピア・タイミング／周波数構造情報の一部として含まれる情報を含む。
【００４６】
動作はステップ１２０４から、無線端末が参照信号を受信するステップ１２０８へ進む。例えば、無線は、図１のビーコン送信機１１６から無線ビーコン信号（例えばＯＦＤＭ無線ビーコン信号）を受信し、無線ビーコン号は、システム１００で使用されるピア・ツー・ピア・タイミング構造に関してタイミングを調整するために使用される。動作は、ステップ１２０８からステップ１２１０へ進む。ステップ１２１０では、無線端末は、ステップ１２０８の受信信号に基づくタイミング構造に関する時間を決定する。動作は、ステップ１２１０から、ステップ１２１２および１２１６へ進む。
【００４７】
ステップ１２１２において、それは継続的に行われるが、無線端末は、タイミングを維持し、現在時刻１２１４を出力し、それは他のステップで利用される。ステップ１２１６に戻り、ステップ１２１６では、無線端末が、ディスカバリ・インターバル・エアリンク・リソースに関連するデバイスＩＤを取得し保持しているかどうかをチェックおよび決定する。ディスカバリ・インターバル・エアリンク・リソースに関連するデバイスＩＤを現在保持していない場合、動作は、後の時点で再調査するため、ステップ１２１６の入力に戻る。しかし、無線端末が、ディスカバリ・インターバル・リソースに関連したデバイスＩＤを保持する場合、動作は、ステップ１２１６からステップ１２１８、および連結するノードＢ  １２２０を介してステップ１２４０へ進む。
【００４８】
ステップ１２１８に戻り、ステップ１２１８では、無線端末は、現在時刻情報１２１４を使用して、ディスカバリ情報１２２２を処理して、ディスカバリ・インターバル送信部分を作成する。図６および７は、ディスカバリ情報の典型的な処理、およびディスカバリ・インターバル送信部分の生成を示す。動作は、ステップ１２１８からステップ１２２４へ進み、そこでは、無線端末は、記憶されたディスカバリ情報セット情報１２２８の一部として、時間タグ情報とともにディスカバリ・インターバル部分を記憶する。ステップ１２２４からの出力の一例は、記憶されたディスカバリ情報送信部分Ａ  １２３０、記憶されたディスカバリ情報送信部分Ｂ  １２３２、記憶されたディスカバリ情報部分Ｃ  １２３４、記憶されたディスカバリ情報部分Ｄ  １２３６、および記憶された時間タグ情報  １２３８、を含む１つのセットとして表される。他の実施形態では、異なる数の部分は、ディスカバリ情報のセットに対応する。いくつかの実施形態では、時間タグ情報は、ディスカバリ情報のセットに直接記憶されないが、むしろ間接的に、例えば、無線端末が１つのインデックス値（例えば、セットＮ−２、セットＮ−１、セットＮ）に関連付けられている、メモリロケーションのセットに記憶されている、ディスカバリ情報のセットに記憶される。動作は、ステップ１２２４から、連結されたノードＡ  １２２６を介してステップ１２１８へ進む。
【００４９】
ステップ１２４０に戻り、ステップ１２４０では、反復ベースで、無線端末は、記憶された反復ピア・ツー・ピア・タイミング／周波数構造情報１２０６、および現在時刻情報１２１４を用いて、該無線端末で現在保持しているデバイスＩＤに関連付けられたディスカバリ・インターバル・リソースを識別する。無線端末で現在保持されているデバイス識別子に関連した、各識別されたディスカバリ・インターバル・リソースに対し、動作は、ステップ１２４０からステップ１２４２へ移る。ステップ１２４２において、無線端末は、識別されたディスカバリ・インターバル・リソースのインターバル・リソース・タイプを決定する。識別されたインターバル・リソースが低レートインターバル・リソースである場合、動作は、ステップ１２４２からステップ１２４４へ進む。しかしながら、無線端末が、識別されたインターバル・リソースは追加のインターバル・リソースであると決定した場合、動作はステップ１２４２からステップ１２４６へ進む。
【００５０】
ステップ１２４４で、無線端末が、送信された記憶されたディスカバリ・インターバル部分を識別すると、ステップ１２４４に返る。ステップ１２４４への入力は、記憶された反復ピア・ツー・ピア・タイミング／周波数構造情報１２０６、およびディスカバリ情報部分１２２８を含むディスカバリ情報セットを含む。動作は、ステップ１２４４からステップ１２５２へ移る。ステップ１２５２では、無線端末は、ステップ１２４４から送信される、識別された記憶されたディスカバリ・インターバル部分を伝える信号を生成する。その後、ステップ１２５４で、無線端末は、当該無線端末により現在保持されているデバイスＩＤに専用のエアリンク・リソース（例えばセグメント）を使用して、ディスカバリ・インターバルの間に、ピア・ツー・ピア・タイミング構造に従って、識別されたディスカバリ・インターバル部分を伝える、生成された信号を送信する。
【００５１】
ステップ１２４６に戻り、ステップ１２４６では、無線端末が、ディスカバリ情報の送信に関する動作の無線端末モードを決定する。無線端末が、低レートディスカバリ送信モードである場合、動作はステップ１２４６からステップ１２４８へ進み、そこでは、デバイスは、ディスカバリ・インターバルの間は送信を控えるように制御される。しかしながら、デバイスが高レートディスカバリ送信モードである場合、動作は、ステップ１２４６からステップ１２５０へ進む。ステップ１２５０において、無線端末は、記憶されたディスカバリ・インターバル部分を識別し、該識別された部分は以前に送信された部分である。記憶された反復ピア・ツー・ピア・タイミング／周波数構造情報１２０６、およびディスカバリ情報部分１２２８を含むディスカバリ情報セットは、ステップ１２５０への入力である。
【００５２】
動作は、ステップ１２５０からステップ１２５６へ進む。ステップ１２５６において、無線端末は、ステップ１２５０から送信される、識別された記憶されたディスカバリ・インターバル部分を伝える信号を生成する。その後、ステップ１２５８において、無線端末は、エアリンク・リソース（例えば、無線端末で保持されているデバイスＩＤに専用のセグメント）を使用して、ディスカバリ・インターバルの間に、ピア・ツー・ピア・タイミング／周波数構造に従って、ステップ１２５０からの識別された以前に送信されたディスカバリ・インターバル部分を伝える、生成された信号を送信する。
【００５３】
いくつかの実施形態において、高レートディスカバリ送信モードのとき、無線端末は、ステップ１２５０、１２５６および１２５８のＫ回の繰り返しに対し、ステップ１２４４、１２５２および１２５４を１回繰り返す。例えば、ディスカバリ情報が生成された４つの部分のセットである一典型的実施形態では、ステップ１２５０、１２５６および１２５８の４回の繰り返しに対応する、ステップ１２４４、１２５２および１２５４の１回の繰り返しがある。
【００５４】
無線端末が、ディスカバリ・インターバル・リソースに関連したデバイス識別子を保持し続ける間、ステップ１２１８、１２２４、１２４０、１２４２、１２４４、１２４６、１２４８、１２５０、１２５２、１２５４、１２５６および１２５８に関して記述された動作フローは続けられる。しかし、無線端末が、ディスカバリ・インターバル・リソースに関連した現在保持しているデバイス識別子を放棄する場合、ステップ１２１８、１２２４、１２４０、１２４２、１２４６、１２４８、１２５０、１２５２、１２５４、１２５６および１２５８に関する動作は中断され、動作はステップ１２１６の入力に戻る。
【００５５】
図１３は、典型的な無線端末１３００、例えば、典型的な実施形態に従ったディスカバリ情報を送信するピア・ツー・ピア・モバイルノードの図である。無線端末１３００は、例えば、図１のシステム１００のピア・ツー・ピア通信デバイス（１０２、１０４、１０６、１０８、１１０）のうちの１つである。典型的な無線端末１３００は、無線受信機モジュール１３０２、無線送信機モジュール１３０４、ユーザＩ／Ｏデバイス１３０８、プロセッサ１３０６、様々な要素がデータおよび情報を交換できるバス１３１２によって接続されたメモリ１３１０、を含む。いくつかの実施形態では、無線端末１３００は、該無線端末を他のネットワークノードおよび／またはインターネット（例えば、有線バックホール・ネットワーク）に接続するためのネットワークインタフェース１３０７を含む。
【００５６】
メモリ１３１０は、ルーチン１３１８およびデータ／情報１３２０を含む。プロセッサ１３０６（例えばＣＰＵ）は、ルーチン１３１８を実行し、メモリ１３１０内のデータ／情報１３２０を使用して、無線端末１３００の動作を制御し、方法（例えば、図１１のフローチャート１１００の方法あるいは図１２のフローチャート１２００の方法）を実行する。
【００５７】
無線受信機モジュール１３０２（例えば、ＯＦＤＭまたはＣＤＭＡ受信機）は、ピア・ツー・ピア・タイミング構造に同期するために使用されるタイミング参照信号（例えばビーコン信号）を無線端末１３００が受信するアンテナ１３１４に連結される。無線受信機モジュール１３０２は、さらに、ディスカバリ情報のソースとなる他の無線端末および／または他のノード（例えば、低レートピア・ディスカバリ情報の部分を再送信することによりピア・ディスカバリをアシストするアシスト・ノードおよび／またはサーバノード）から、ディスカバリ情報部分を伝えるディスカバリ情報信号を受信する。
【００５８】
無線送信機モジュール１３０４（例えばＯＦＤＭまたはＣＤＭＡの送信機）は、無線端末１３００がディスカバリ信号を送信する送信アンテナ１３１６に連結される。低レートディスカバリ送信モードにおいて、無線端末１３００は、現在保持している識別子に関連した低レートディスカバリ・インターバル送信ユニットを使用して、低レートディスカバリ・インターバルの間にディスカバリ情報部分を送信するが、現在保持している識別子に関連した追加のディスカバリ・インターバルの間、ディスカバリ情報部分の送信を控える。高レートディスカバリモードにおいて、無線端末１３００は、現在保持する識別子に関連した低レートディスカバリ・インターバル送信ユニットを使用して、低レートディスカバリ・インターバルの間にディスカバリ信号部分を送信し、現在保持する識別子に関連した追加のディスカバリ・インターバル送信ユニットを使用して、追加のディスカバリ・インターバルの間にディスカバリ信号部分を送信する。
【００５９】
ユーザＩ／Ｏデバイス１３０８は、例えばマイクロホン、キーボード、キーパッド、スイッチ、カメラ、スピーカー、ディスプレイなどを含む。ユーザＩ／Ｏデバイス１３０８は、無線端末１３００のユーザが、データ／情報を入力すること、出力データ／情報へアクセスすること、および無線端末の少なくともいくつかの機能を制御すること、例えば、１つまたは複数のタイプのディスカバリ情報のブロードキャストを始めること、を可能にする。含まれているネットワークインタフェース１３０７は、無線端末１３００が、他のネットワークノードおよび／またはバックホール・ネットワークを介してインターネットに接続することを可能にする。
【００６０】
ルーチン１３１８は、通信ルーチン１３２２および制御ルーチン１３２４を含む。通信ルーチン１３２２は、無線端末１３００によって使用される様々な通信プロトコルを実行する。制御ルーチン１３２４は、低レート制御モジュール１３２６、高レート制御モジュール１３２８、タイミング構造記憶モジュール１３３０、タイミング同期モジュール１３３２、タイミング維持モジュール１３３４、デバイスＩＤモジュール１３３６、ディスカバリ情報処理モジュール１３３８、ディスカバリ情報部分記憶モジュール１３４０、ディスカバリ・インターバル識別モジュール１３４２、インターバル・タイプ決定モジュール１３４４、モード決定モジュール１３４６、低レートインターバル部分識別モジュール１３４８、追加のインターバル部分識別モジュール１３５０、およびディスカバリ信号生成モジュール１３５２、を含む。
【００６１】
データ／情報１３２０は、保存されたタイミング／周波数構造情報１３５４、ディスカバリ・エアリンク・リソースに関連する現在保持しているデバイス識別子を識別する情報１３７８、現在時刻情報１３６８、通信するディスカバリ情報１３７０、記憶されたディスカバリ情報セット１３８０、現在のディスカバリ情報送信モードを識別する情報１３７２、送信する識別された部分１３７４、および生成されたディスカバリ信号１３７６、を含む。記憶されたディスカバリ情報セット１３８０は、一番最近のディスカバリ情報セット１３８２（例えば、セットＮ）、および、より古いディスカバリ情報セット１３８４のような、より古い生成されたディスカバリ情報セット（例えば、セットＮ−Ｌ）を含み、ここで、ＮとＬは整数である。送信する生成されたディスカバリ情報の各セットは、複数の部分を含む。この典型的な実施形態において、セット１３８０は、４つの部分（ディスカバリ情報ＴＸ部分Ａ  １３８６、ディスカバリ情報ＴＸ部分Ｂ  １３８８、ディスカバリ情報ＴＸ部分Ｃ  １３９０、ディスカバリ情報ＴＸ部分Ｄ  １３９２）を含む。
【００６２】
記憶されたタイミング／周波数構造情報１３５４は、無線端末１３００に一時的に関連している異なる識別子に対応するピア・ディスカバリ・インターバル・エアリンク・リソースを識別する情報の複数のセット（デバイス識別子ＩＤ１のピア・ディスカバリ・インターバル・リソースを識別する情報１３５６、…、デバイス識別子ＩＤ Ｍのピア・ディスカバリ・インターバル・リソースを識別する情報１３５８）およびマッピングパターン情報１３６７を含む。デバイス識別子ＩＤ１のピア・ディスカバリ・インターバルリソースを識別する情報１３５６は、デバイスＩＤ１に関連した低レートピア・ディスカバリ・インターバル送信ユニットを識別する情報１３６０、およびデバイスＩＤ１に関連した追加のディスカバリ・インターバル送信ユニットを識別する情報１３６２を含む。同様に、デバイス識別子ＩＤ Ｍのピア・ディスカバリ・インターバル・リソースを識別する情報１３５８は、デバイス識別子Ｍに関連した低レートピア・ディスカバリ・インターバル送信ユニットを識別する情報１３６４、およびデバイス識別子Ｍに関連した追加のディスカバリ・インターバル送信ユニットを識別する情報１３６６を含む。マッピングパターン情報１３６７は、生成されたディスカバリ部分の特定の送信ユニットへのマッピングパターンを定義する情報を含む。図２、３、４、５、９および／または１０に関して記述された情報は、タイミング／周波数構造情報１３５４の一部として含まれている典型的な情報を含む。
【００６３】
記憶されたタイミング／周波数構造情報１３５４は、ピア・ディスカバリ送信スケジュールを定義する情報、ピア・ディスカバリ情報の送信に利用可能な順序付けされた複数の送信ユニットを示す構造、低レートディスカバリ送信に使用される送信ユニットおよび高レートディスカバリ送信に使用される追加の送信ユニットを示す情報を含む記憶された情報、高レートディスカバリ送信に対する送信ユニットが低レートディスカバリ送信より多いことを示す記憶された情報を含む。低レートピア・ディスカバリ・インターバル送信ユニットを識別する情報１３６０は、追加のディスカバリ・インターバル送信ユニットを識別する情報１３６２より少ない送信ユニット（例えばセグメント）を識別する。同様に、低レートピア・ディスカバリ・インターバル送信ユニットを識別する情報１３６４は、追加のディスカバリ・インターバル送信ユニットを識別する情報１３６６より少ない送信ユニット（例えばセグメント）を識別する。１つの実施形態において、低レートピア・ディスカバリ送信ユニットと追加の送信ユニットとの間の比率は、１：４である。図５を参照。
【００６４】
低レート制御モジュール１３２６は、低レートディスカバリ送信に対応する送信ユニットを使用して、ピア・ディスカバリ情報のセット内のピア・ディスカバリ情報の一部を送信するように、無線送信機モジュール１３０４を制御する。例えば、無線端末１３００が、現在、デバイス識別子ＩＤ  Ｍを持つとすると、低レート制御モジュール１３５４は、情報１３６４によって識別される送信ユニットを使用して、情報１３６４によって識別されるインターバルの間に、ディスカバリ部分を送信するように無線送信機モジュール１３０４を制御する。
【００６５】
高レート制御モジュール１３２８は、高レートディスカバリ送信に対応する送信ユニットを使用して、ピア・ディスカバリ情報のセットの以前に送信された部分を送信するように、無線送信機モジュール１３０４を制御する。例えば、無線端末１３００が、現在、デバイス識別子ＩＤ  Ｍを持つとすると、高レート制御モジュール１３２８は、情報１３６６によって識別される送信ユニットを使用して、情報１３６６によって識別されるインターバルの間にディスカバリ部分を送信するように、無線送信機モジュール１３０４を制御する。ここで、追加のディスカバリ・インターバルの間に送信されたディスカバリ情報部分は、前の低レートディスカバリ・インターバルの間に既に前もって送信されている。
【００６６】
タイミング構造記憶モジュール１３３０は、ピア・ディスカバリ送信構造（例えば反復タイミング／周波数構造）を定義する情報を記憶する。いくつかの実施形態では、該記憶は、デバイス設定動作および／またはデバイス初期化動作の一部である。記憶されたタイミング／周波数構造情報１３５４は、モジュール１３３０の出力を表す。記憶されたタイミング構造情報１３５４は、ピア・ディスカバリ情報の送信に利用可能な順序付けされた複数の送信ユニットを示す情報、低レートディスカバリ送信に使用される送信ユニットと高レートディスカバリ送信に使用される追加の送信ユニットを示す情報を含む記憶された情報、高レートディスカバリ送信につての送信ユニットは低レートディスカバリ送信用より多いことを示す記憶された情報、を含む。
【００６７】
タイミング同期モジュール１３３２は、外部参照信号（例えば受信されたビーコン信号）に対して無線端末１３００内の内部タイミングを同期させ、それにより、無線端末１３００は、そのタイミングを、近くの他のピア・ツー・ピア・デバイスに関して調整されたピア・ツー・ピア反復タイミング構造内に持つ。タイミング維持モジュール１３３４は、継続的に、無線端末１３００内にタイミングを維持し、現在時刻情報１３６８を出力する。
【００６８】
デバイスＩＤモジュール１３３６は、無線端末１３００によって一時的に使用されるディスカバリ・インターバル・エアリンク・リソースのセットに関連するデバイス識別子を取得すること、無線端末１３００が現在そのようなデバイス識別子を持つかどうか決定すること、現在保持しているデバイス識別子を放棄すること、を含む機能を実行する。
【００６９】
ディスカバリ情報処理モジュール１３３８は、ディスカバリ・インターバル送信部分を生成するために、通信するディスカバリ情報１３７０を処理する。いくつかの実施形態では、モジュール１３３８の処理は、セキュアハッシュ関数操作を実行することを含む。図６および図７は、モジュール１３３８によって実行される典型的な処理を示す。ディスカバリ情報部分記憶モジュール１３４０は、モジュール１３３８からの処理出力を記憶されたディスカバリ情報セット１３８０に記憶する。
【００７０】
ディスカバリ情報識別モジュール１３４２は、反復ピア・ツー・ピア・タイミング／周波数構造内のディスカバリ・インターバル・エアリンク・リソースが、無線端末１３００によって現在保持されているデバイス識別子に関係しているか否かを決定する。インターバル・タイプ決定モジュール１３４４は、ディスカバリ・インターバル・エアリンク・リソースが、低レートピア・ディスカバリ・インターバル・エアリンク・リソースか、あるいは追加のディスカバリ・インターバル・エアリンク・リソースかを決定する。モード決定モジュール１３４６は、ディスカバリ情報の送信に関して、無線端末１３００の現在モード１３７２（例えば（ｉ）無線端末１３００が、低レートピア・ディスカバリ・インターバル・エアリンク・リソースを使用してディスカバリ情報部分を送信するが、追加のディスカバリ・インターバル・エアリンク・リソースを使用しない、低レートディスカバリ情報送信モード、または（ｉｉ）無線端末１３００が、低レートピア・ディスカバリ・インターバル・エアリンク・リソースと追加のディスカバリ・インターバル・エアリンク・リソースの両方を使用して、ディスカバリ情報部分を送信する、高レートディスカバリ情報送信モード）を決定する。ディスカバリ・インターバル・エアリンク・リソースは、時々、ディスカバリ・インターバル送信ユニットあるいはディスカバリ・インターバル・セグメントと二者択一で呼ばれる。
【００７１】
低レート部分識別モジュール１３４８は、記憶されたタイミング／周波数構造情報１３５４に従って、記憶されたディスカバリ情報１３８０から、無線端末１３００によって、低レートピア・ディスカバリ・インターバルの間に送信する記憶されたディスカバリ・インターバル部分を識別する。追加インターバル部分識別モジュール１３５０は、記憶されたタイミング／周波数構造情報１３５４に従って、記憶されたディスカバリ情報１３８０から、無線端末１３００によって、追加のディスカバリ・インターバルの間に送信される、記憶されたディスカバリ・インターバル部分を識別する。追加のディスカバリ・インターバルの間に送信される識別された部分は、以前に、前の低レートピア・ディスカバリ・インターバルの間に送信された部分である。送信する識別された部分１３７４は、モジュール１３４８あるいはモジュール１３５０のいずれか一方の出力でなり得、また、それはディスカバリ信号生成モジュール１３５２への入力である。ディスカバリ信号生成モジュール１３５２は、送信する識別されたディスカバリ・インターバル部分を伝えるディスカバリ信号を生成する。生成されたディスカバリ信号１３７６は、モジュール１３５２の出力である。
【００７２】
無線送信機モジュール１３０２は、ピア・ディスカバリ情報の複数の部分を送信する。低レート制御モジュール１３２６は、低レートディスカバリ送信に対応する送信ユニットを使用して、ピア・ディスカバリ情報のセットの第１の部分を送信するよう、無線送信機モジュール１３０２を制御する。高レート制御モジュール１３２８は、高レートディスカバリ送信に対応する送信ユニットを使用して、ピア・ディスカバリ情報のセットの以前に送信された部分を送信するよう、無線送信機モジュール１３０２を制御する。いくつかの場合では、ピア・ディスカバリ情報のセットの以前に送信された部分は、該第１の部分を含むピア・ディスカバリ情報のセットとは異なるピア・ディスカバリ情報のセットに対応する。他のいくつかの場合では、ピア・ディスカバリ情報のセットの以前に送信された部分は、該第１の部分と同じピア・ディスカバリ情報のセットに対応する。高レート制御モジュール１３２８は、該第１の部分の送信に続く以前に送信された部分を送信するよう、無線送信機モジュール１３０２を制御する。時には、以前に送信された部分の送信は、低レートディスカバリ送信に対応する別の送信ユニットを使用したピア・ディスカバリ情報の別の部分の送信より前に行われる。
【００７３】
様々な実施形態において、第１の部分を含むピア・ディスカバリ情報のセットは、全部でＫ個の部分（例えば４つの部分）を含む。いくつかのそのような実施形態において、無線送信機モジュール１３０２は、さらに該第１の部分および該以前に送信された部分に加えて、ピア・ディスカバリ情報の追加部分を送信する。いくつかのそのような実施形態において、高レート制御モジュールは、該他の部分の送信より前に、該第１の部分の送信に続く高レートディスカバリ送信に対応する送信ユニットを使用して、ピア・ディスカバリ情報のＫ−１個の追加部分を送信するよう、無線送信機モジュール１３０２を制御する。例えば、Ｋ＝４と考える。無線端末１３００は、以下の順に送信する：（i）第１の低レートディスカバリ送信ユニットを使用して、第１の部分；（ii）高レート送信に関連した第１の追加の送信ユニットを使用して、以前に送信されたディスカバリ部分；（iii）高レート送信に関連した第２の追加の送信ユニットを使用して、第２の以前に送信されたディスカバリ部分；（iv）高レート送信に関連した第３の以前に送信されたディスカバリ部分；（ｖ）高レート送信に関連した第４の以前に送信されたディスカバリ部分；および（vi）第２の低レートディスカバリ送信ユニットを使用して、第２の部分。送信シーケンスでは、いくらかの時間の間、低レートディスカバリ送信ユニットを使用して送信される第１の部分および高レートディスカバリ送信ユニットを使用するＫ−１個のディスカバリ部分は、すべて同じピア・ディスカバリ情報のセットからである。
【００７４】
いくつかの実施形態では、以前に送信された部分およびＫ−１個の追加部分は、低レートディスカバリ送信ユニットを使用しての第１の部分の送信の後に、高レートピア・ディスカバリ送信に対応する送信ユニットを使用して連続的に送信されるように制御される。いくつかの実施形態では、以前に送信された部分およびＫ−１個の追加部分は、すべて同じピア・ディスカバリ情報のセットからである。図１０の例を参照。他のいくつかの実施形態では、反復構造のいくつかのインターバルの間、以前に送信された部分およびＫ−１個の追加部分は、同じピア・ディスカバリ情報のセットからであるが、反復構造における他のインターバルについては、以前に送信された部分およびＫ−１個の追加部分は、２つの異なるディスカバリ情報のセットからのメンバを含む。図９を参照。
【００７５】
図１４は、ピア・ツー・ピア通信システムにおける典型的なノードとディスカバリ情報の送信とを示す図１４００である。典型的なノードは、例えば、図１のピア・ツー・ピア通信デバイス（１０２、１０４、１０６、１０８、１１０）のいずれかである。典型的なノードは、第１の無線端末１４０２（例えばピア・ツー・ピア・モバイルノード）を含み、それは、時間軸１４１０に沿って送信されるディスカバリ信号１４１２により示されるように、高レートディスカバリモードで動作し、高レートでディスカバリ情報を送信している。典型的なノードは、さらに第２の無線端末１４０４（例えば、第２のピア・ツー・ピア・モバイルノード）を含み、それは、時間軸１４１０に沿って送信されるディスカバリ信号１４１４により示されるように、低レートディスカバリモードで動作し、低レートでディスカバリ情報を送信している。典型的なノードは、さらに第３の無線端末１４０６（例えば、第３のピア・ツー・ピア・モバイルノード）を含み、それは、時間軸１４１０に沿って送信されるディスカバリ信号１４１６により示されるように、第１の時間の間、高レートディスカバリモードで動作し、高レートでディスカバリ情報を送信しているが、その後、低レートディスカバリモードで動作するように変更し、低レートでディスカバリ情報を送信する。いくつかの実施形態では、少なくとも無線端末のうちのいくつかは、１つのモードでディスカバリ情報送信を行なうが、他のモードでは行わない。いくつかの実施形態では、少なくとも無線端末のうちのいくつかは、ディスカバリ情報の送信に関してマルチモードであり、例えば、あるときは高レートで送信するが、またあるときは低レートで送信する。
【００７６】
様々な実施形態の技術は、ソフトウェア、ハードウェアおよび／またはソフトウェアとハードウェアの組み合わせを使用して実行される。様々な実施形態は、装置、例えばモバイル・アクセス端末のようなモバイルノード、１つまたは複数の接続（attachment）ポイントを含む基地局および／または通信システム向きである。様々な実施形態は、また、方法、例えばモバイルノード、基地局および／または通信システム（例えばホスト）を制御および／または動作させる方法向きである。様々な実施形態はまた、機械、例えばコンピュータ、１つまたは複数の方法ステップを実行するように機械を制御するための機械読取可能な命令を含む例えばＲＯＭ、ＲＡＭ、ＣＤ、ハードディスクなどの可読媒体向きである。
【００７７】
様々な実施形態では、ここに記述されたノードは、１つまたは複数の方法（例えば、ピア・ディスカバリ送信構造を定義する情報を記憶すること、前記低レートディスカバリ送信に対応する送信ユニットを使用してピア・ディスカバリ情報のセットの第１の部分を送信すること、および／または前記高レートディスカバリ送信に対応する送信ユニットを使用して、ピア・ディスカバリ情報のセットの以前に送信された部分を送信すること）に対応するステップを実行する１つまたは複数のモジュールを使用して実装される。したがって、いくつかの実施形態では、様々な特徴はモジュールを使用して実施される。そのようなモジュールは、ソフトウェア、ハードウェア、あるいはソフトウェアとハードウェアの組み合わせを使用して実施される。上記の方法あるいは方法ステップの多くは、マシン（例えば追加のハードウェアを備えたあるいは備えていない汎用コンピュータ）が、例えば１つまたは複数のノードにおいて、上記の方法の全部または一部を実行するように制御するために、メモリデバイス（例えばＲＡＭ、フロッピー（登録商標）ディスクなど）のような機械可読媒体に含まれるソフトウェアのようなマシン実行可能な命令を使用して実施できる。従って、特に、様々な実施形態は、マシン（例えばプロセッサおよび関連するハードウェア）に上記方法の１つまたは複数のステップを実行させるマシン実行可能な命令を含む機械可読媒体に向けられる。いくつかの実施形態は、発明の１つまたは複数の方法のステップの１つまたは複数または全てを実行するように構成されたプロセッサ含むデバイス（例えば通信デバイス）に向けられている。
【００７８】
いくつかの実施形態は、１つまたは複数のコンピュータが、様々な機能、ステップ、行為および／または動作（例えば上記の１つまたは複数のステップ）を実行するためのコードを含むコンピュータ読取可能媒体を含むコンピュータプログラム製品に向けられている。実施形態によって、コンピュータプログラム製品は、実行される各ステップのための異なるコードを含むことができ、時に含む。したがって、コンピュータプログラム製品は、１つの方法（例えば通信デバイスまたはノードを制御する方法）の各個別ステップに対するコードを含むことがあり、時に含む。コードは、例えば、ＲＡＭ（Random Access Memory）、ＲＯＭ（Read Only Memory）あるいは他のタイプの記憶デバイスのようなコンピュータ可読媒体に記憶されたマシン（例えばコンピュータ）実行可能な命令の形をしている。コンピュータプログラム製品に向けられていることに加えて、いくつかの実施形態は、１つまたは複数の様々な関数、ステップ、行為および／または上記１つまたは複数の方法の動作を行うように構成されたプロセッサに向けられている。従って、いくつかの実施形態は、ここに記述された方法のステップのいくつかあるいは全てを実行するように構成されたプロセッサ（例えばＣＰＵ）に向けられている。プロセッサは、例えば通信デバイスまたは本出願に記述された他のデバイスで用いられ得る。
【００７９】
いくつかの実施形態では、１つまたは複数のデバイス（例えば無線端末のような通信デバイス）の１つのプロセッサまたは複数のプロセッサは、通信デバイスにより実行されるように記述された上記方法のステップを行なうように構成される。従って、全てではないがいくつかの実施形態は、プロセッサが含まれているデバイスによって実行される様々な上記方法の各々のステップに対応するモジュールを含むプロセッサをもつデバイス（例えば通信デバイス）に向けられている。全てではないがいくつかの実施形態では、デバイス（例えば通信デバイス）は、プロセッサが含まれるデバイスによって実行される様々な上記方法の各々のステップに対応するモジュールを含む。該モジュールは、ソフトウェアおよび／またはハードウェアを使用して実施される。
【００８０】
ＯＦＤＭシステムとの関連で記述されるが、様々な実施形態の方法および装置のうちの少なくともいくつかは、多くの非ＯＦＤＭおよび／または非セルラーシステムを含む広範囲の通信システムに適用可能である。
【００８１】
上述の様々な実施形態の方法および装置についての多くの追加のバリエーションは、上記の説明を考慮すると当業者には明らかである。そのようなバリエーションは、範囲内として考慮される。方法および装置は、様々な実施形態において、ＣＤＭＡ、直交周波数分割多重、および／またはアクセスノードとモバイルノードとの間に無線通信リンクを与えるために用いられる様々な他のタイプの通信技術を用いて使用される。いくつかの実施形態では、アクセスノードは、ＯＦＤＭおよび／またはＣＤＭＡを用いて、モバイルノードと通信リンクを確立する基地局として実装される。様々な実施形態において、モバイルノードは、方法の実現のために、ノート型コンピュータ、ＰＤＡ（personal data assistants）、あるいは受信機／送信機回路およびロジックおよび／またはルーチンを含む他の携帯機器として実施される。
以下に、本願出願の当初の特許請求の範囲に記載された発明を付記する。
［付記］
［１］ディスカバリ情報を通信する方法であって、
ピア・ディスカバリ送信構造を定義する情報を記憶すること、
ここで、前記構造はピア・ディスカバリ情報の送信に利用可能な順序付けされた複数の送信ユニットを示し、前記記憶された情報は低レートディスカバリ送信に使用される送信ユニットおよび高レートディスカバリ送信に使用される追加の送信ユニットを示す情報を含み、
前記低レートディスカバリ送信に対応する送信ユニットを使用して、ピア・ディスカバリ情報のセットの第１の部分を送信すること、および
前記高レートディスカバリ送信に対応する送信ユニットを使用して、ピア・ディスカバリ情報のセットの以前に送信された部分を送信すること、
を備える方法。
［２］前記ピア・ディスカバリ情報のセットの以前に送信された部分は、前記第１の部分を含む前記セットとは異なるピア・ディスカバリ情報のセットに対応する、［１］の方法。
［３］前記記憶された情報は、高レートディスカバリ送信についての送信ユニットは低レートディスカバリ送信よりも多いことを示し、
前記ピア・ディスカバリ情報のセットの以前に送信された部分は、前記第１の部分と同じピア・ディスカバリ情報のセットに対応する、［１］の方法。
［４］前記記憶された情報は、高レートディスカバリ送信についての送信ユニットが低レートディスカバリ送信よりも多いことを示し、
前記以前に送信された部分を送信することは、前記第１の部分の送信後に行う、［１］の方法。
［５］前記以前に送信された部分を送信することは、前記低レートディスカバリ送信に対応する別の送信ユニットを使用したピア・ディスカバリ情報の別の部分の送信の前に行う、［４］の方法。
［６］前記第１の部分を含む前記ピア・ディスカバリ情報のセットは、全部でＮ個の部分を含み、前記方法は、さらに、
前記第１の部分の送信の後、前記別の部分の送信の前に、高レートディスカバリ送信に対応する送信ユニットを使用して、ピア・ディスカバリ情報のＮ−１個の追加部分を送信すること、を含む［５］の方法。
［７］前記以前に送信された部分、前記第１の部分、および前記Ｎ−１個の追加部分は、全て同じピア・ディスカバリ情報のセットからである、［６］の方法。
［８］前記以前に送信された部分および前記Ｎ−１個の追加部分は、前記第１の部分の送信後に、高レートピア・ディスカバリ送信に対応する送信ユニットを使用して連続的に送信され、
前記以前に送信された部分および前記Ｎ−１個の追加部分は、全て同じピア・ディスカバリ情報のセットからである、［６］の方法。
［９］ディスカバリ情報を通信するための無線通信デバイスであって、
ピア・ディスカバリ送信構造を定義する記憶された情報を含むメモリと、
ここで、前記構造はピア・ディスカバリ情報の送信に利用可能な順序付けされた複数の送信ユニットを示し、前記記憶された情報は低レートディスカバリ送信に使用される送信ユニットおよび高レートディスカバリ送信に使用される追加の送信ユニットを示す情報を含み、
ピア・ディスカバリ情報の複数の部分を送信する無線送信機モジュールと、
前記低レートディスカバリ送信に対応する送信ユニットを使用して、ピア・ディスカバリ情報のセットの第１の部分を送信するように、前記無線送信機モジュールを制御する低レート制御モジュールと、
を備える無線通信デバイス。
［１０］前記高レートディスカバリ送信に対応する送信ユニットを使用して、ピア・ディスカバリ情報のセットの以前に送信された部分を送信するように、前記無線送信機モジュールを制御する高レート制御モジュールを、さらに備える［９］の無線通信デバイス。
［１１］前記ピア・ディスカバリ情報のセットの以前に送信された部分は、前記第１の部分を含む前記セットとは異なるピア・ディスカバリ情報のセットに対応する、［１０］の無線通信デバイス。
［１２］前記ピア・ディスカバリ情報のセットの以前に送信された部分は、前記第１の部分と同じピア・ディスカバリ情報のセットに対応する、［９］の無線通信デバイス。
［１３］前記記憶された情報は、高レートディスカバリ送信についての送信ユニットが低レートディスカバリ送信より多いことを示し、
前記高レート制御モジュールは、前記第１の部分の送信後に、以前に送信された部分を送信するように前記無線通信機モジュールを制御する、［９］の無線通信デバイス。
［１４］前記以前に送信された部分を送信することは、前記低レートディスカバリ送信に対応する別の送信ユニットを使用したピア・ディスカバリ情報の別の部分の送信の前に行う、［１３］の無線通信デバイス。
［１５］前記第１の部分を含む前記ピア・ディスカバリ情報のセットは、全部でＮ個の部分を含み、
前記無線通信機モジュールは、さらに、ピア・ディスカバリ情報の追加の部分を送信し、
前記高レート制御モジュールは、前記第１の部分の送信の後、前記別の部分の送信の前に、高レートディスカバリ送信に対応する送信ユニットを使用して、ピア・ディスカバリ情報のＮ−１個の追加部分を送信するように、前記無線送信機モジュールを制御する、
［１４］の無線通信デバイス。
［１６］前記以前に送信された部分、前記第１の部分、および前記Ｎ−１個の追加部分は、全て同じピア・ディスカバリ情報のセットからである、［１５］の無線通信デバイス。
［１７］前記以前に送信された部分および前記Ｎ−１個の追加部分は、前記第１の部分の送信後に、高レートピア・ディスカバリ送信に対応する送信ユニットを使用して連続的に送信されるように制御され、
前記以前に送信された部分および前記Ｎ−１個の追加部分は、全て同じピア・ディスカバリ情報のセットからである、
［１５］の無線通信デバイス。
［１８］ディスカバリ情報を通信するための無線通信デバイスであって、
ピア・ディスカバリ送信構造を定義する記憶された情報を含むメモリ手段と、
ここで、前記構造はピア・ディスカバリ情報の送信に利用可能な順序付けされた複数の送信ユニットを示し、前記記憶された情報は低レートディスカバリ送信に使用される送信ユニットおよび高レートディスカバリ送信に使用される追加の送信ユニットを示す情報を含み、
ピア・ディスカバリ情報の複数の部分を送信する無線送信機手段と、
前記低レートディスカバリ送信に対応する送信ユニットを使用して、ピア・ディスカバリ情報のセットの第１の部分を送信するように、前記無線送信機手段を制御する低レート制御手段と、
を備える無線通信デバイス。
［１９］前記高レートディスカバリ送信に対応する送信ユニットを使用して、ピア・ディスカバリ情報のセットの以前に送信された部分を送信するように、前記無線送信機手段を制御する高レート制御手段を、さらに備える［１８］の無線通信デバイス。
［２０］前記記憶された情報は、低レートディスカバリ送信よりも高レートディスカバリ送信についての送信ユニットが多いことを示し、
前記ピア・ディスカバリ情報のセットの以前に送信された部分は、前記第１の部分を含む前記セットとは異なるピア・ディスカバリ情報のセットに対応する、［１８］の無線通信デバイス。
［２１］前記ピア・ディスカバリ情報のセットの以前に送信された部分は、前記第１の部分と同じピア・ディスカバリ情報のセットに対応する、［１８］の無線通信デバイス。
［２２］コンピュータプログラム製品であって、
コンピュータに、ピア・ディスカバリ送信構造を定義する情報を記憶させるコード、
ここで、前記構造はピア・ディスカバリ情報の送信に利用可能な順序付けされた複数の送信ユニットを示し、前記記憶された情報は低レートディスカバリ送信に使用される送信ユニットおよび高レートディスカバリ送信に使用される追加の送信ユニットを示す情報を含み、
コンピュータに、前記低レートディスカバリ送信に対応する送信ユニットを使用して、ピア・ディスカバリ情報のセットの第１の部分を送信させるコード、および
コンピュータに、前記高レートディスカバリ送信に対応する送信ユニットを使用して、ピア・ディスカバリ情報のセットの以前に送信された部分を送信させるコード、
を含むコンピュータ可読媒体を含むコンピュータプログラム製品。
［２３］前記記憶された情報は、高レートディスカバリ送信についての送信ユニットは低レートディスカバリ送信よりも多いことを示し、
前記ピア・ディスカバリ情報のセットの以前に送信された部分は、前記第１の部分を含む前記セットとは異なるピア・ディスカバリ情報のセットに対応する、［２２］のコンピュータプログラム製品。
［２４］前記ピア・ディスカバリ情報のセットの以前に送信された部分は、前記第１の部分と同じピア・ディスカバリ情報のセットに対応する、［２２］のコンピュータプログラム製品。
［２５］ピア・ディスカバリ送信構造を定義する情報を記憶し、
ここで、前記構造はピア・ディスカバリ情報の送信に利用可能な順序付けされた複数の送信ユニットを示し、前記記憶された情報は低レートディスカバリ送信に使用される送信ユニットおよび高レートディスカバリ送信に使用される追加の送信ユニットを示す情報を含み、
前記低レートディスカバリ送信に対応する送信ユニットを使用して、ピア・ディスカバリ情報のセットの第１の部分を送信し、および
前記高レートディスカバリ送信に対応する送信ユニットを使用して、ピア・ディスカバリ情報のセットの以前に送信された部分を送信する、
プロセッサを備えた装置。
［２６］前記記憶された情報は、高レートディスカバリ送信についての送信ユニットは低レートディスカバリ送信よりも多いことを示し、
前記ピア・ディスカバリ情報のセットの以前に送信された部分は、前記第１の部分を含む前記セットとは異なるピア・ディスカバリ情報のセットに対応する、［２５］の装置。
［２７］前記ピア・ディスカバリ情報のセットの以前に送信された部分は、前記第１の部分と同じピア・ディスカバリ情報のセットに対応する、［２５］の装置。
【図１】
0005415537.tif 000002
【図２】
0005415537.tif 000003
【図３】
0005415537.tif 000004
【図４】
0005415537.tif 000005
【図５】
0005415537.tif 000006
【図６】
0005415537.tif 000007
【図７】
0005415537.tif 000008
【図８】
0005415537.tif 000009
【図９】
0005415537.tif 000010
【図１０】
0005415537.tif 000011
【図１１】
0005415537.tif 000012
【図１２】
0005415537.tif 000013
【図１２Ａ】
0005415537.tif 000014
【図１２Ｂ】
0005415537.tif 000015
【図１３】
0005415537.tif 000016
【図１４】
0005415537.tif 000017